(57)【要約】【課題】従来の監視カメラにはコントラストの強い被写体を監視目的とする広ダイナミックレンジカメラがあるが、監視し難い部分を監視し易いように補正して元の監視し難い部分に周囲部分とのバランスをとって合成しているため、補正量を任意に設定できない、また、特殊に合成しているため合成するための回路規模が大きい。【解決手段】カメラ内部の撮像装置部分からフィールドごとにシャッタースピードの異なる映像信号を任意のシャッタースピードで取り出すようにできるようにして片方のフィールドの映像信号の任意部分を切り出せる回路を有し、切り出した映像を任意の部分に貼りつけられる回路を有して実現する。【選択図】　図１
2004104315.tif 000002
【特許請求の範囲】
【請求項１】
撮像装置と、映像信号処理回路とを備えるテレビジョンカメラにおいて、
前記テレビジョンカメラのシャッタースピードを変更し、
変更されたシャッタースピードで画像を取得し、
前記変更される前のシャッタースピードで取得した画像に、前記変更されたシャッタースピードで取得した画像の一部を貼り付けた画像を作成することを特徴とする画像補正方法。
【請求項２】
撮像装置と、映像信号処理回路とを備えるテレビジョンカメラにおいて、
複数のシャッタースピードに切換えて画像を取得し、
取得された複数の画像の１つの画像の一部を他の画像に貼り付けた画像を作成することを特徴とする画像補正方法。
【発明の詳細な説明】
【０００１】
【発明の属する技術分野】
本発明は、監視カメラ等の画像補正方法に関し、特に輝度差のない部分を任意に補正して表示する方法に関するものである。
【０００２】
【従来の技術】
従来の監視カメラにはコントラストの強い被写体を監視目的とする広ダイナミックレンジカメラがある。監視する目的のためには、取得した映像について、監視し難い輝度の低い（暗い）部分または高い（明るい）部分を、例えば、低い部分の輝度範囲（輝度差）を拡大し、監視し易いように補正することが望ましい。しかし、広ダイナミックレンジカメラでは、元の監視し難い部分に周囲部分とのバランスをとって合成（輝度補正）しているため、補正量を任意に設定できない、また、例えば、比較的暗い室内とその窓から見える明るい戸外といったような、監視場所によって補正方法を切替える特殊に合成方法を採用するため、そのような合成を実行するための回路の規模が大きい。
【０００３】
【発明が解決しようとする課題】
前述の従来技術には、補正量を任意に設定できない欠点があった。また更に、補正に必要な回路の規模が大きいという欠点があった。
本発明の目的は、監視カメラで監視し難い部分を部分的に補正でき、補正量を任意に設定し、部分的に補正した画像を監視目的外の部分に貼りつけることで周囲部分とのバランスなどの制限なくユーザの監視し易い画像に補正して表示ができ、特殊な合成回路やパラメータを必要としない回路規模の小さい監視用テレビジョンカメラを提供することにある。
【０００４】
【課題を解決するための手段】
上記の目的を達成するため、本発明の画像補正方法は、テレビジョンカメラ内部の撮像装置部分からフィールド毎またはフレーム毎あるいは、所定期間毎、にシャッタースピードの異なる映像信号を任意のシャッタースピードで取り出すようにして１つのフィールドの映像信号の任意部分を切り出する回路を有し、切り出した映像を任意の部分に貼り付ける回路を有するものである。
【０００５】
即ち、本発明の画像補正方法は、撮像装置と映像信号処理回路とを備えるテレビジョンカメラにおいて、テレビジョンカメラのシャッタースピードを変更し、変更されたシャッタースピードで画像を取得し、変更される前のシャッタースピードで取得した画像に、変更されたシャッタースピードで取得した画像の一部を貼り付けた画像を作成するものである。
また、本発明の画像補正方法は、撮像装置と映像信号処理回路とを備えるテレビジョンカメラにおいて、複数のシャッタースピードに切換えて画像を取得し、取得された複数の画像の１つの画像の一部を他の画像に貼り付けた画像を作成するものである。
【０００６】
【発明の実施の形態】
本発明の一実施例を、図１によって説明する。図１は、本発明のテレビジョンカメラ（以降、カメラと称する）の構成を示すブロック図である。図１では、カメラの構成のうち、本発明の説明に必要な部分のみを示し、以後の説明においても、カメラの全体の機能については説明を省略している。
【０００７】
図１において、１０　はテレビジョンカメラ、１　は撮像装置、２　は映像信号処理回路部、３　は補正した映像信号を切り出し貼り付けるための補正処理回路、４　はカメラを制御するマイクロコンピュータ（　ＣＰＵ：Ｃｅｎｔｒａｌ　Ｐｒｏｃｅｓｓｉｎｇ　Ｕｎｉｔ　）、５　は映像信号出カコネクタ、ａ　は撮像装置の出力の映像信号、ｂ　は映像信号処理回路部による信号処理後の映像信号、ｃ　は補正処理回路　３　による任意部分切り出し貼りつけ後の映像信号、ｄ　は任意のシャッタースピードに制御するためのシャッタースピード制御信号、ｅ　は切り出し貼付け部分を任意に設定するための切貼り制御信号、ｆ　は任意の画像補正を実行させるための画像補正制御信号である。
【０００８】
図１において、撮像装置　１　は、撮像視野範囲から入射する光を電気信号に変換して取得し、取得した画像を映像信号　ａ　に変換して映像信号処理回路部　２　に出力する。映像信号処理回路部　２　は、入力された映像信号　ａ　に、電気的増幅、ホワイトバランス処理、ガンマ処理などの映像信号処理を施し、映像信号処理後の映像信号　ｂ　を補正処理回路　３　に出力する。補正処理回路　３　は、映像信号　ｂを切り出し、貼り付ける回路で、オペレータが指示する任意部分の画像の切り出し及び貼り付け処理後の画像を、映像信号　Ｃ　に変換し、映像信号出カコネクタ　５　を介して出力する。
【０００９】
ＣＰＵ　４　は、オペレータによる映像信号の輝度レベルの変更指示に応じて、画像補正制御信号　ｆ　によって映像信号処理回路　２　と送受信し、映像信号処理回路部２　から撮像装置　１　のシャッタースピード制御信号　ｄ　を出力させ、撮像装置　１　から出力される映像信号　ａ　の信号レベルを制御する。
また　ＣＰＵ　４　は、オペレータが指示する任意部分の画像を切り出し、貼付けるための部分制御信号（切貼り制御信号　ｅ　）を補正処理回路　３　に送信し、画像の切り出し部分、貼りつけ位置を制御する。
【００１０】
テレビジョンカメラ　１０　出力される映像信号は、映像信号出力コネクタ　５　と結合したモニタ　８　に出力される。モニタ　８　は、入力された映像信号を表示する。オペレータは、モニタ　８　の画面に表示された画像を見て監視を行う。
例えば、オペレータは、モニタ　８　の画像の一部を見て、極端に暗い部分や明るい部分をもっと鮮明にして確認したいと考えると、モニタ　８　と結合している操作器　９　を操作し、モニタ　８　に表示された画像の中から鮮明にしたい部分とその鮮明になった画像を表示する画像中の位置を指定する。モニタ　８　は、テレビジョンカメラ　１０　の　ＣＰＵ　４　とも結合しているので、その指示情報が、モニタ　８　から　ＣＰＵ　４　に出力される。
操作器　９　は、例えば、マウス、キーボード等の入力機器である。
【００１１】
ＣＰＵ　４　は、入力された指示情報に応じて、指定された部分の画像の輝度情報を取得し、その輝度が小さい（暗すぎる）場合には、映像信号処理回路部　２　を介して撮像装置　１　のシャッタースピードを遅いスピードに変更し、撮像装置　１　から出力される映像信号　ａ　の信号レベルを実質的に上げる。また、指定された部分の輝度が大きい（明るすぎる）場合には、映像信号処理回路部　２　を介して撮像装置　１　のシャッタースピードを早いスピードに変更し、撮像装置　１　から出力される映像信号　ａ　の信号レベルを実質的に下げる。
このようにしてシャッタースピードが変更された時の映像信号　ａ　は映像信号処理回路部　２　に入力されて画像処理され、映像信号　ｂ　として補正処理回路　３　に出力される。ＣＰＵ　４　は、更に、補正処理回路　３　に切貼り制御信号　ｅ　を送り、オペレータの指示に応じた部分領域の画像を切り出し保存する。
【００１２】
次に、ＣＰＵ　４　は、再び映像信号処理回路部　２　を介して撮像装置　１　のシャッタースピードを元のスピードに変更し、撮像装置　１　から出力される映像信号　ａ　の信号レベルを元に戻す。そして撮像装置　１　によって元のシャッタースピードで撮像された画像が映像信号処理回路部　２　を通り、補正処理回路　３　に出力される。補正処理回路　３　は、ＣＰＵ　４　から今度は画像の貼り付ける領域を指定され、その領域に先ほど保存した画像を貼り付けて、出力する。
以上の、▲１▼シャッタースピードの変更、画像の切り出しの処理と、▲２▼シャッタースピードを元のスピードに戻す、画像の貼り付けの処理とを、フィールド毎あるいはフレーム毎に切換えて実行する。
【００１３】
モニタ　８　には、画像と共に、文字、記号などを表示され、オペレータは、これらの文字、記号に基いてオペレータが操作器　９　を操作する。
画像と共に表示されるこれらの文字、記号は、あらかじめ　ＣＰＵ　４　の図示しないメモリに記憶されたコンピュータプログラムに基いて表示される。即ち、ＣＰＵ　４　はキャラクタ発生器　６　に制御信号を出力し、キャラクタ発生器　６　は入力される制御信号に対応した文字、記号を発生しミキサー　７　に出力する。ミキサー　７　は、補正処理回路　３　から出力される画像にキャラクタ発生器　６　から入力された文字、記号を重畳して、映像信号出力コネクタ　５　を介して出力する。
【００１４】
以上述べた如く、オペレータの指示に応じて、任意の部分画像（領域）を鮮明に表示することができる。
また、この部分画像は、例えば、複数あっても良いし、▲１▼の切換え処理を複数段階にすることによって、明るさの異なる領域をそれぞれ鮮明に表示することができる。
また、この部分画像は、例えば、▲２▼の切換え処理は元のシャッタースピードに戻しているが、例えば、シャッタースピードの異なる複数のシャッタースピードに順次切換えて画像を取得し、それらを任意に合成した画像を作成して出力しても良い。
【００１５】
【発明の効果】
以上のように、本発明によれば、、監視カメラで監視し難い部分を部分的に補正でき、補正量を任意に設定し、部分的に補正した画像を監視目的外の部分に貼りつけることで周囲部分とのバランスなどの制限なくユーザの監視し易い画像に補正して表示ができ、特殊な合成回路やパラメータを必要としない回路規模の小さい監視用テレビジョンカメラを提供することができる。
【図面の簡単な説明】
【図１】本発明の一実施例の構成を示すブロック図。
【符号の説明】
１：撮像装置、　２：映像信号処理回路部、　３：補正処理回路、　４：ＣＰＵ、　５：映像信号出カコネクタ、　６：キャラクタ発生器、　７：ミキサー、　８：モニタ、　９：操作器、　１０：カメラ。
【図１】
2004104315.tif 000003